(57)【要約】【課題】突発的な電源異常やバッテリーの異常等を検出するシステムをメンテナンスフリーで実現するための状態監視型電源装置および電源状態監視方法を提供する。【解決手段】電源装置１は、第１の直流電圧を第２の直流電圧に変換する絶縁型ＤＣ／ＤＣ変換部３０と、第２の直流電圧を第３の直流電圧に変換するＤＣ／ＤＣ変換部２００と、停電を検出する停電検出部２０と、ＤＣ／ＤＣ変換部３０，２００の異常を検出する電源異常検出部６０と、絶縁型ＤＣ／ＤＣ変換部３０の寿命を検出する電源寿命検出部５０と、絶縁型ＤＣ／ＤＣ変換部３０の２次側に接続されるバッテリー１５０と、バッテリー１５０の動作を監視するバッテリー管理／監視部８０と、外部システムの異常を検出するシステム異常検出部９９と、停電検出部２０、電源異常検出部６０、電源寿命検出部５０、バッテリー管理／監視部８０およびシステム異常検出部９９からの検出信号に基づいてアラーム信号を生成し出力するアラーム信号生成部９０とを備える。【選択図】図２
2010279206.tif 000002
【特許請求の範囲】
【請求項１】
外部システムを含む電源装置の状態を監視する状態監視型電源装置であって、
１次側から印加される第１の直流電圧を２次側で第２の直流電圧に変換する第１のＤＣ／ＤＣ変換部と、
前記第２の直流電圧を第３の直流電圧に変換する第２のＤＣ／ＤＣ変換部と、
前記第１のＤＣ／ＤＣ変換部の１次側に接続され、停電を検出する停電検出部と、
前記第１および第２のＤＣ／ＤＣ変換部の異常を検出する電源異常検出部と、
前記第１のＤＣ／ＤＣ変換部の寿命を検出する電源寿命検出部と、
前記第１のＤＣ／ＤＣ変換部の２次側に接続されるバッテリーと、
前記バッテリーの充電と放電とを切り替える充電／放電切替部と、
前記外部システムの異常を検出するシステム異常検出部と、
前記停電検出部、前記電源異常検出部、前記電源寿命検出部および前記システム異常検出部からの検出信号に基づいてアラーム信号を生成し出力するアラーム信号処理部とを備える、状態監視型電源装置。
【請求項２】
前記アラーム信号処理部は、
前記バッテリーの動作を監視するバッテリー管理／監視部と、
前記停電検出部、前記電源異常検出部、前記電源寿命検出部、前記バッテリー管理／監視部および前記システム異常検出部からの検出信号に基づいてアラーム信号を生成し出力するアラーム信号生成部とを含む、請求項１に記載の状態監視型電源装置。
【請求項３】
前記アラーム信号処理部は、
前記検出信号の閾値を変更するための閾値変更入力と、
前記検出信号をアナログ信号からデジタル信号に変換するＡ／Ｄコンバータと、
デジタル信号に変換された前記検出信号および変更可能な閾値に基づいてアラーム信号を生成する演算処理部と、
前記アラーム信号をデジタル信号からアナログ信号に変換するＤ／Ａコンバータとを含む、請求項１に記載の状態監視型電源装置。
【請求項４】
前記電源寿命検出部は、
前記第１のＤＣ／ＤＣ変換部の１次側または２次側に接続されたコンデンサにかかるリップル電圧をモニターするリップルモニター部と、
前記コンデンサの周囲温度を計測して前記リップル電圧の温度補正値を算出する温度補正部と、
前記第１のＤＣ／ＤＣ変換部を流れる電流を検出して前記リップル電圧の電流補正値を算出する電流補正部とを含む、請求項１に記載の状態監視型電源装置。
【請求項５】
前記第１のＤＣ／ＤＣ変換部の１次側に接続され、交流電源から印加される交流電圧を前記第１の直流電圧に変換するＡＣ／ＤＣ変換部をさらに備える、請求項１に記載の状態監視型電源装置。
【請求項６】
前記第１のＤＣ／ＤＣ変換部は、絶縁型のトランスにより構成されている、請求項１に記載の状態監視型電源装置。
【請求項７】
外部システムを含む電源装置の状態を監視する状態監視型電源装置であって、
交流電源から印加される交流電圧を第１の直流電圧に変換するＡＣ／ＤＣ変換部と、
前記ＡＣ／ＤＣ変換部の２次側に接続されるバッテリーと、
前記第１の直流電圧を第２の直流電圧に変換するＤＣ／ＤＣ変換部と、
前記ＡＣ／ＤＣ変換部、前記ＤＣ／ＤＣ変換部、前記バッテリーおよび前記外部システムからの検出信号に基づいて電源寿命アラーム、電源異常アラーム、停電アラーム、バッテリー異常アラーム、およびシステム異常アラームを生成し出力するアラーム信号生成部とを備える、状態監視型電源装置。
【請求項８】
外部システムを含む電源装置の状態を監視する電源状態監視方法であって、
停電を検出するステップと、
前記電源装置の異常を検出するステップと、
前記電源装置の寿命を検出するステップと、
前記電源装置の２次側に接続されるバッテリーの異常を検出するステップと、
前記外部システムの異常を検出するステップと、
前記停電を検出するステップ、前記電源装置の異常を検出するステップ、前記電源装置の寿命を検出するステップ、前記バッテリーの異常を検出するステップおよび前記外部システムの異常を検出するステップによって検出される検出信号に基づいてアラーム信号を生成し出力するステップとを備える、電源状態監視方法。
【請求項９】
前記電源装置の異常を検出するステップは、
前記電源装置の出力電圧を監視するステップと、
前記出力電圧がダウンし、かつ停電が起きていない場合に電源異常アラームを発生するステップとを含む、請求項８に記載の電源状態監視方法。
【請求項１０】
前記電源装置の寿命を検出するステップは、前記電源装置に含まれるコンデンサのリップル電圧に温度補正値および電流補正値が結合されて生成された判定信号が閾値を超えていれば電源寿命アラームを発生するステップを含む、請求項８に記載の電源状態監視方法。
【請求項１１】
前記バッテリーの異常を検出するステップは、
前記バッテリーの充電状態を監視するステップと、
前記バッテリーの劣化を定期的に監視し、異常が検出されればバッテリー異常アラームを発生するステップと、
前記バッテリーの劣化の監視において停電が起き、かつ前記バッテリーに異常が検出されれば、前記外部システムを含む前記電源装置を停止させるステップとを含む、請求項８に記載の電源状態監視方法。
【発明の詳細な説明】
【技術分野】
【０００１】
この発明は、状態監視型電源装置および電源状態監視方法に関し、より特定的には、電源装置の状態および入力ならびに停電を監視する状態監視型電源装置および電源状態監視方法に関する。
【背景技術】
【０００２】
システムのバックアップ機能は、多くがＵＰＳ（Uninterruptible Power Supply：無停電電源）により実現されている。バッテリーを使用したシステムのバックアップは、停電や突発的な電源異常時に備えたものが基本である。電源回路の故障には、大きく分けて突発的な異常と寿命による磨耗故障とがある。電源故障や長時間停電が起こると、通常のバックアップ動作だけでは対応できず、システムがダウンする。
【０００３】
しかし、ＵＰＳ自体の不具合やシステム内の電源故障に関しては、その問題が発生してシステムが完全にダウンするまで気付かない事がほとんどである。システムが完全にダウンした場合、復旧に時間を要するため不利益が大きい。
【０００４】
そのため、重要なシステムでは、定期的なメンテナンスにより、ＵＰＳの動作確認やＵＰＳ内のバッテリーの劣化調査等の確認作業が必要になる。バッテリーの確認作業には、専用の測定器や専門知識を有する測定者が立ち会う必要がある。また、重要なシステムでは、通常、電源二重化やシステムの二重化構成で不具合に備えている。その結果、システム全体が高額化している。
【０００５】
図８は、ＵＰＳを用いた従来のシステム５００の構成を示した概略ブロック図である。
図８を参照して、従来のシステム５００は、ＵＰＳ装置１０００と、電源装置１Ｐとを備える。ＵＰＳ装置１０００は、ＡＣ／ＤＣ（交流／直流）変換部１１００と、ＤＣ／ＡＣ（直流／交流）変換部１２００と、バッテリー１５０とを含む。電源装置１Ｐは、ＡＣ／ＤＣ変換部１３０Ｐを含む。
【０００６】
ＵＰＳを用いたシステム５００では、バッテリー１５０に入力を充電するために、ＡＣ／ＤＣ変換部１１００において入力電圧を交流から直流に変換する必要がある。バッテリー１５０から電源装置１Ｐに出力する際には、ＤＣ／ＡＣ変換部１２００において出力電圧を直流から交流に変換する必要がある。また、電源装置１Ｐに出力された電圧は、ＡＣ／ＤＣ変換部１３０Ｐにおいて再び交流から直流に変換される。
【０００７】
上記の各変換部分でそれぞれに変換効率があるため、電源装置１Ｐから出力される直流電圧はその分損失が大きくなる。たとえば、ＡＣ／ＤＣ変換部１１００，１３０Ｐでの変換効率が８０％、ＤＣ／ＡＣ変換部１２００での変換効率が７０％とする。このとき、ＵＰＳ装置１０００の変換効率は５６％となる。また、ＡＣ／ＤＣ変換部１３０Ｐの出力が１００Ｗに対応しているものとする。
【０００８】
上記の場合、ＡＣ／ＤＣ変換部１３０Ｐの入力では１２５Ｗとなる。また、ＤＣ／ＡＣ変換部１２００の入力では１７８Ｗ、ＡＣ／ＤＣ変換部１１００の入力では２２３Ｗとなる。すなわち、出力が１００Ｗのシステム５００では、最初の入力と最後の出力との間で１２３Ｗの損失が発生することになる。また、バッテリー１５０でのバックアップ時においても、７８Ｗの損失が発生する。
【０００９】
なお、特許文献１〜３は、電解コンデンサの特性等に基づいて電源寿命を検出するシステムを開示している。しかし、特許文献１〜３のいずれの装置についても、電源装置以降に接続されるシステムの許容度を無視したものであるため、寿命検出の信頼性は低くなると考えられる。また、電源異常、電源寿命、バッテリ寿命、充電監視等の複合型のシステムは、特許文献１〜３を含む従来技術では見当たらない。
【先行技術文献】
【特許文献】
【００１０】
【特許文献１】特開２００８−３０６８５０号公報
【特許文献２】特開２００１−２３１２５８号公報
【特許文献３】特開平１１−２１５８０８号公報
【発明の概要】
【発明が解決しようとする課題】
【００１１】
バッテリーを使用したシステムのメンテナンスフリー化を実現するためには、突発的な電源故障の検出および通常のバックアップ動作を検出する必要がある。しかし、図８のように、ＵＰＳ装置１０００を電源装置１Ｐの前段に配置した場合、突発的な電源故障の検出はできないという問題がある。
【００１２】
また、上述のように、重要なシステムにおいては、ＵＰＳ自体の不具合等を補うため、定期的なメンテナンスにより専門的な作業を含む各種確認を行なったり、システムを二重化構成にしたりしている。しかし、このようなシステム構成とすることで、システム製品の占有体積が大きくなるとともに、メンテナンス費用等に無駄が生じて製品が高額化するという問題がある。
【００１３】
それゆえに、この発明の目的は、突発的な電源故障やバッテリーの異常等を検出するシステムをメンテナンスフリーで実現するための状態監視型電源装置および電源状態監視方法を提供することである。
【課題を解決するための手段】
【００１４】
この発明のある局面によれば、外部システムを含む電源装置の状態を監視する状態監視型電源装置であって、１次側から印加される第１の直流電圧を２次側で第２の直流電圧に変換する第１のＤＣ／ＤＣ変換部と、第２の直流電圧を第３の直流電圧に変換する第２のＤＣ／ＤＣ変換部と、第１のＤＣ／ＤＣ変換部の１次側に接続され、停電を検出する停電検出部と、第１および第２のＤＣ／ＤＣ変換部の異常を検出する電源異常検出部と、第１のＤＣ／ＤＣ変換部の寿命を検出する電源寿命検出部と、第１のＤＣ／ＤＣ変換部の２次側に接続されるバッテリーと、バッテリーの充電と放電とを切り替える充電／放電切替部と、外部システムの異常を検出するシステム異常検出部と、停電検出部、電源異常検出部、電源寿命検出部およびシステム異常検出部からの検出信号に基づいてアラーム信号を生成し出力するアラーム信号処理部とを備える。
【００１５】
好ましくは、アラーム信号処理部は、バッテリーの動作を監視するバッテリー管理／監視部と、停電検出部、電源異常検出部、電源寿命検出部、バッテリー管理／監視部およびシステム異常検出部からの検出信号に基づいてアラーム信号を生成し出力するアラーム信号生成部とを含む。
【００１６】
好ましくは、アラーム信号処理部は、検出信号の閾値を変更するための閾値変更入力と、検出信号をアナログ信号からデジタル信号に変換するＡ／Ｄコンバータと、デジタル信号に変換された検出信号および変更可能な閾値に基づいてアラーム信号を生成する演算処理部と、アラーム信号をデジタル信号からアナログ信号に変換するＤ／Ａコンバータとを含む。
【００１７】
好ましくは、電源寿命検出部は、第１のＤＣ／ＤＣ変換部の１次側または２次側に接続されたコンデンサにかかるリップル電圧をモニターするリップルモニター部と、コンデンサの周囲温度を計測してリップル電圧の温度補正値を算出する温度補正部と、第１のＤＣ／ＤＣ変換部を流れる電流を検出してリップル電圧の電流補正値を算出する電流補正部とを含む。
【００１８】
好ましくは、第１のＤＣ／ＤＣ変換部の１次側に接続され、交流電源から印加される交流電圧を第１の直流電圧に変換するＡＣ／ＤＣ変換部をさらに備える。
【００１９】
好ましくは、第１のＤＣ／ＤＣ変換部は、絶縁型のトランスにより構成されている。
この発明の他の局面によれば、外部システムを含む電源装置の状態を監視する状態監視型電源装置であって、交流電源から印加される交流電圧を第１の直流電圧に変換するＡＣ／ＤＣ変換部と、ＡＣ／ＤＣ変換部の２次側に接続されるバッテリーと、第１の直流電圧を第２の直流電圧に変換するＤＣ／ＤＣ変換部と、ＡＣ／ＤＣ変換部、ＤＣ／ＤＣ変換部、バッテリーおよび外部システムからの検出信号に基づいて電源寿命アラーム、電源異常アラーム、停電アラーム、バッテリー異常アラーム、およびシステム異常アラームを生成し出力するアラーム信号生成部とを備える。
【００２０】
この発明のさらに他の局面によれば、外部システムを含む電源装置の状態を監視する電源状態監視方法であって、停電を検出するステップと、電源装置の異常を検出するステップと、電源装置の寿命を検出するステップと、電源装置の２次側に接続されるバッテリーの異常を検出するステップと、外部システムの異常を検出するステップと、停電を検出するステップ、電源装置の異常を検出するステップ、電源装置の寿命を検出するステップ、バッテリーの異常を検出するステップおよび外部システムの異常を検出するステップによって検出される検出信号に基づいてアラーム信号を生成し出力するステップとを備える。
【００２１】
好ましくは、電源装置の異常を検出するステップは、電源装置の出力電圧を監視するステップと、出力電圧がダウンし、かつ停電が起きていない場合に電源異常アラームを発生するステップとを含む。
【００２２】
好ましくは、電源装置の寿命を検出するステップは、電源装置に含まれるコンデンサのリップル電圧に温度補正値および電流補正値が結合されて生成された判定信号が閾値を超えていれば電源寿命アラームを発生するステップを含む。
【００２３】
好ましくは、バッテリーの異常を検出するステップは、バッテリーの充電状態を監視するステップと、バッテリーの劣化を定期的に監視し、異常が検出されればバッテリー異常アラームを発生するステップと、バッテリーの劣化の監視において停電が起き、かつバッテリーに異常が検出されれば、外部システムを含む電源装置を停止させるステップとを含む。
【発明の効果】
【００２４】
この発明の実施の形態によれば、突発的な電源故障やバッテリーの異常等を検出するシステムをメンテナンスフリーで実現できる。
【図面の簡単な説明】
【００２５】
【図１】この発明の実施の形態による電源装置１の概略的な構成を示したブロック図である。
【図２】この発明の実施の形態による電源装置１のある程度具体的な構成を示したブロック図である。
【図３】この発明の実施の形態１による電源装置１Ａの具体的な構成を示した回路ブロック図である。
【図４】この発明の実施の形態１による電源装置１Ａの概略的な動作を説明するためのフロー図である。
【図５】この発明の実施の形態１による電源装置１Ａの電源監視動作を説明するためのフロー図である。
【図６】この発明の実施の形態１による電源装置１Ａのバッテリー監視動作を説明するためのフロー図である。
【図７】この発明の実施の形態２による電源装置１Ｂの具体的な構成を示した回路ブロック図である。
【図８】ＵＰＳを用いた従来のシステム５００の構成を示した概略ブロック図である。
【発明を実施するための形態】
【００２６】
以下、この発明の実施の形態について図面を参照して詳しく説明する。なお、図中同一または相当部分には同一符号を付してその説明は繰り返さない。
【００２７】
図１は、この発明の実施の形態による電源装置１の概略的な構成を示したブロック図である。
【００２８】
図１を参照して、電源装置１は、ＡＣ／ＤＣ（交流／直流）変換装置１００と、ＤＣ／ＤＣ（直流／直流）変換部２００とを備える。ＡＣ／ＤＣ変換装置１００は、ＡＣ／ＤＣ変換部１３０と、バッテリー１５０とを含む。
【００２９】
図１の電源装置１は、図８のシステム５００において、電源装置１ＰにＵＰＳ装置１０００を組み込んだような構成となっている。このように、バックアップ用のバッテリー１５０を電源装置１内に組み入れることにより、後段でＤＣ／ＤＣ変換部２００が必要となるものの、ＵＰＳ装置を別途設ける必要がなくなる。
【００３０】
たとえば、ＡＣ／ＤＣ変換部１３０での変換効率が８０％、ＤＣ／ＤＣ変換部２００での変換効率が９０％とする。また、ＤＣ／ＤＣ変換部２００の出力が１００Ｗに対応しているものとする。
【００３１】
上記の場合、ＤＣ／ＤＣ変換部２００の入力では１１１Ｗとなる。また、ＡＣ／ＤＣ変換部１３０の入力では１３８Ｗとなる。すなわち、出力が１００Ｗの電源装置１では、最初の入力と最後の出力との間での損失が３８Ｗにまで低減することになる。また、バッテリー１５０でのバックアップ時においても、損失は１１Ｗに抑えられる。
【００３２】
このように、バックアップ用のバッテリー１５０を電源装置１内に組み入れることにより、ＤＣ／ＤＣ変換部２００の追加を考慮しても、システム全体で考えた場合に従来の方式より電力損失を小さくすることができる。これにより、同じ１００Ｗシステムのバックアップを行なうのに必要なバッテリーの容量を小さくすることができる。その結果、システムの体積面や価格面でも無駄を低減することができる。
【００３３】
図２は、この発明の実施の形態による電源装置１のある程度具体的な構成を示したブロック図である。
【００３４】
図２を参照して、電源装置１は、ＡＣ／ＤＣ変換装置１００と、ＤＣ／ＤＣ変換部２００と、システム異常検出部９９と、ＤＣ出力端子２０１とを備える。ＡＣ／ＤＣ変換装置１００は、交流電源１０と、入力フィルター部１５と、ブリッジダイオード１７と、停電検出部２０と、絶縁型ＤＣ／ＤＣ変換部３０と、電源寿命検出部５０と、電源異常検出部６０と、充電／放電切替部７０と、バッテリー管理／監視部８０と、アラーム信号生成部９０と、バッテリー１５０とを含む。
【００３５】
交流電源１０から入力された交流電圧は、入力フィルター部１５を通り、ブリッジダイオード１７において交流から直流に変換される。停電検出部２０は、ブリッジダイオード１７の前後で停電を検出する。絶縁型ＤＣ／ＤＣ変換部３０は、ブリッジダイオード１７から出力される直流電圧をＤＣ／ＤＣ変換する。電源寿命検出部５０は、絶縁型ＤＣ／ＤＣ変換部３０で電源寿命を検出する。絶縁型ＤＣ／ＤＣ変換部３０には、基本的には絶縁型の電源が用いられる。しかし、システム機器の構成内容によっては、非絶縁型の電源が用いられることも考えられる。
【００３６】
ＤＣ／ＤＣ変換部２００は、絶縁型ＤＣ／ＤＣ変換部３０から出力される直流電圧をさらにＤＣ／ＤＣ変換する。ＤＣ／ＤＣ変換部２００は、ＤＣ出力端子２０１を通じて外部システムに接続される。システム異常検出部９９は、外部システムの異常を検出する。電源異常検出部６０は、絶縁型ＤＣ／ＤＣ変換部３０およびＤＣ／ＤＣ変換部２００からの出力を監視することで電源異常を検出する。ＤＣ／ＤＣ変換部２００は、絶縁型の電源であっても非絶縁型の電源であってもよい。絶縁型の電源か非絶縁型の電源かは、外部システムに必要な電圧構成に応じて決定される。
【００３７】
充電／放電切替部７０は、停電検出部２０の出力等に応じて、バッテリー１５０の充放電を切り替える。電源異常時、絶縁型ＤＣ／ＤＣ変換部３０およびＤＣ／ＤＣ変換部２００の出力電圧は０Ｖとなる。このとき、これらの電源側からバッテリー１５０に充電されていた電圧も０Ｖとなる。その結果、バッテリー１５０内の電圧が高くなり、自然にバッテリー１５０から放電が始まる。放電電圧は、充電／放電切替部７０を介して、ＤＣ／ＤＣ変換部２００に供給される。
【００３８】
すなわち、電源電圧が高ければ電源側から電力が供給され、バッテリー電圧が高ければバッテリー側から電力が供給される。なお、充電電圧はバッテリー電圧より高い。そのため、通常の電源動作時には電源側から電力が供給される。バッテリー管理／監視部８０は、バッテリー１５０の充放電時の過電流や発熱等を監視する。
【００３９】
アラーム信号生成部９０は、電源寿命検出部５０、電源異常検出部６０、停電検出部２０、バッテリー管理／監視部８０、およびシステム異常検出部９９からの出力を受けて、各種アラーム信号を出力する。具体的には、電源寿命アラームＬ＿ＡＬＭ、電源異常アラームＤ＿ＡＬＭ、停電アラームＨ＿ＡＬＭ、バッテリー異常アラームＢ＿ＡＬＭ、およびシステム異常アラームＳ＿ＡＬＭが出力される。
【００４０】
上記のように、バッテリー１５０を絶縁型ＤＣ／ＤＣ変換部３０の２次側に配置してバックアップを行なう構成とすることで、交流電源１０から入力が供給されている状態で電源故障を検出することが可能となる。これにより、図８に示した従来のシステム５００と異なり、突発的な電源異常を検出することができる。以下、電源装置１のより詳細な構成例について説明する。
【００４１】
［実施の形態１］
図３は、この発明の実施の形態１による電源装置１Ａの具体的な構成を示した回路ブロック図である。
【００４２】
図３を参照して、実施の形態１の電源装置１Ａは、ＡＣ／ＤＣ変換装置１００Ａと、ＤＣ／ＤＣ変換部２００と、外部システムに接続されたＤＣ出力端子２０１と、システム異常検出部９９とを備える。ＡＣ／ＤＣ変換装置１００Ａは、交流電源１０と、入力フィルター部１５と、ブリッジダイオード１７と、電解コンデンサ１８，４３，４７，４９と、停電検出部２０と、１次−２次信号伝達部２５，５９と、鉄芯３１と、１次巻線３２，３３と、２次巻線３４と、半導体スイッチング素子４１と、制御ＩＣ（Integrated Circuit）４２と、ダイオード４４，４６と、出力平滑用インダクタ４８と、電源寿命検出部５０ＬＡ，５０ＭＡと、電源異常検出部６０Ｍ，６０Ｎと、充電／放電切替部７０と、抵抗７１と、温度センサ７２と、バッテリー管理／監視部８０と、アラーム信号生成部９０と、バッテリー１５０とを含む。
【００４３】
電源寿命検出部５０ＬＡは、温度センサ５１Ｌと、抵抗５２Ｌと、温度補正部５３Ｌと、リップルモニター部５４Ｌと、電流補正部５５Ｌと、結合部５７Ｌおよび寿命判定回路５８Ｌを有する寿命検出回路部５６Ｌとを含む。電源寿命検出部５０ＭＡについても同様に、温度センサ５１Ｍと、抵抗５２Ｍと、温度補正部５３Ｍと、リップルモニター部５４Ｍと、電流補正部５５Ｍと、結合部５７Ｍおよび寿命判定回路５８Ｍを有する寿命検出回路部５６Ｍとを含む。なお、抵抗５２Ｌ，５２Ｍは、カレントトランスとすることもできる。
【００４４】
１次巻線３２，３３側は、制御ＩＣ４２に電源電圧Ｖｃｃを供給するため、Ｖｃｃラインとも称する。２次巻線３４側は、他のシステムに電力を供給するため、電力供給ラインとも称する。ＤＣ／ＤＣ変換部２００のＤＣ出力端子２０１には、外部システムが接続される。システム異常検出部９９は、外部システムの異常を検出する。なお、図２の絶縁型ＤＣ／ＤＣ変換部３０は、鉄芯３１と、１次巻線３２，３３と、２次巻線３４とを含むトランス部分に対応する。
【００４５】
交流電源１０は、入力フィルター部１５を介してブリッジダイオード１７に接続されている。交流電源１０は、商用電源であってもよい。ブリッジダイオード１７は、交流電圧を直流電圧に変換する。交流電源１０が直流電源であれば、交流電源１０、入力フィルター部１５、およびブリッジダイオード１７はなくてもよい。電解コンデンサ１８は、ブリッジダイオード１７の出力を平滑化する。ブリッジダイオード１７と電解コンデンサ１８との間に、力率を改善するための昇圧チョッパ回路が挿入されてもよい。
【００４６】
停電検出部２０は、ブリッジダイオード１７の入力フィルター部１５側または電解コンデンサ１８側で停電を検出する。１次−２次信号伝達部２５は、停電検出部２０での検出結果を、１次巻線３２，３３側とは絶縁された２次巻線３４側に伝達する。
【００４７】
半導体スイッチング素子４１は、直流電圧をスイッチングする。半導体スイッチング素子４１は、トランジスタやＦＥＴ（Field Effect Transistor）により構成される。制御ＩＣ４２は、半導体スイッチング素子４１のスイッチング動作を制御することで、電力供給ラインに安定した電圧（電力）を供給する。制御ＩＣ４２は、出力電圧情報や負荷電流情報からスイッチングのデューティ比を決定する。スイッチング動作は、たとえばＰＷＭ（Pulse Width Modulation）制御により行なわれる。
【００４８】
ダイオード４４は、電源電圧Ｖｃｃのラインに制御ＩＣ４２の方向に接続されている。抵抗５２Ｌは、ダイオード４４に直列に接続されている。また、電源電圧Ｖｃｃのラインに並列に、電解コンデンサ４３が接続されている。温度センサ５１Ｌは、電解コンデンサ４３の周囲温度を検出する。温度補正部５３Ｌは、温度センサ５１Ｌからの温度情報を受けて温度補正値を算出する。リップルモニター部５４Ｌは、電解コンデンサ４３のリップル電圧をモニターして検出する。電流補正部５５Ｌは、抵抗５２Ｌを流れる電流を受けて電流補正値を算出する。
【００４９】
結合部５７Ｌは、上記のリップル電圧に温度補正値および電流補正値を結合し、寿命判定用の判定信号を出力する。寿命判定回路５８Ｌは、この判定信号を受けて、Ｖｃｃライン側のシステムの寿命を判定する。判定の閾値は、たとえば可変抵抗により調整可能である。１次−２次信号伝達部５９は、寿命判定回路５８Ｌでの判定結果を、１次巻線３２，３３側とは絶縁された２次巻線３４側に伝達する。
【００５０】
２次巻線３４には、抵抗５２Ｍが接続されている。ダイオード４６は、電力供給ラインに抵抗５２Ｍとは逆の方向に接続されている。出力平滑用インダクタ４８は、ダイオード４６に直列に接続されている。また、電力供給ラインに並列に、電解コンデンサ４７，４９が接続されている。温度センサ５１Ｍは、電解コンデンサ４７，４９の少なくとも一方の周囲温度を検出する。電流補正部５５Ｍは、抵抗５２Ｍを流れる電流を受けて電流補正値を算出する。リップルモニター部５４Ｍは、電解コンデンサ４７，４９の少なくとも一方のリップル電圧をモニターして検出する。温度補正部５３Ｍは、温度センサ５１Ｍからの温度情報を受けて温度補正値を算出する。
【００５１】
結合部５７Ｍは、上記のリップル電圧に温度補正値および電流補正値を結合し、寿命判定用の判定信号を出力する。寿命判定回路５８Ｍは、この判定信号を受けて、電力供給ライン側のシステムの寿命を判定する。判定の閾値は、たとえば可変抵抗により調整することが可能である。
【００５２】
電源異常検出部６０Ｍは、２次巻線３４側のトランス部分からの出力を監視することで電源故障などを検出する。充電／放電切替部７０は、バッテリー管理／監視部８０からの指令を受けて、バッテリー１５０の充電／放電を切り替える。抵抗７１は、バッテリー１５０の充放電時の電流および電圧を検出する。温度センサ７２は、バッテリー１５０の周囲温度を検出する。
【００５３】
バッテリー管理／監視部８０は、抵抗７１および温度センサ７２での検出結果ならびに停電検出部２０からの出力を受けて、バッテリー１５０の充放電時の過電流や発熱等を監視する。具体的には、バッテリー管理／監視部８０は、異常時にはバッテリー１５０を切離するため、充電／放電切替部７０に指令を送出するとともに、アラーム信号生成部９０にも信号を出力する。
【００５４】
ＤＣ／ＤＣ変換部２００は、２次巻線３４側のトランス部分から出力される直流電圧をさらにＤＣ／ＤＣ変換する。ＤＣ／ＤＣ変換部２００は、ＤＣ出力端子２０１を通じて外部システムに接続される。システム異常検出部９９は、外部システムの異常を検出する。電源異常検出部６０Ｎは、バッテリー管理／監視部８０およびＤＣ／ＤＣ変換部２００からの出力を監視することで電源異常を検出する。
【００５５】
アラーム信号生成部９０は、電源寿命検出部５０ＬＡ，５０ＭＡ、電源異常検出部６０Ｍ，６０Ｎ、停電検出部２０、バッテリー管理／監視部８０、充電／放電切替部７０、およびシステム異常検出部９９からの出力を受けて、各種アラーム信号を出力する。具体的には、電源寿命アラームＬ＿ＡＬＭ、電源異常アラームＤ＿ＡＬＭ、停電アラームＨ＿ＡＬＭ、バッテリー異常アラームＢ＿ＡＬＭ、充電回路アラームＣ＿ＡＬＭ、およびシステム異常アラームＳ＿ＡＬＭが出力される。
【００５６】
図４は、この発明の実施の形態１による電源装置１Ａの概略的な動作を説明するためのフロー図である。
【００５７】
図４を参照して、電源装置１Ａのシステムがスタートすると、電源異常監視（ステップＳ１）、停電監視（ステップＳ２）、電源寿命監視（ステップＳ３）、バッテリー監視（ステップＳ４）、およびシステム特性監視（ステップＳ５）が行なわれる。電源異常監視と停電監視とが重なる部分では、停電時の出力ダウンを電源故障と誤検出しないように、ステップＳ６で停電による出力ダウンが排除される。図４では４つのアラーム信号が記載されているが、他のアラーム信号も必要に応じて追加される。
【００５８】
図５は、この発明の実施の形態１による電源装置１Ａの電源監視動作を説明するためのフロー図である。
【００５９】
図５を参照して、電源装置１Ａの監視においては、電源異常監視（ステップＳ１０）、電源寿命監視（ステップＳ３０）、およびバッテリー監視（ステップＳ４０）が行なわれる。電源異常監視（ステップＳ１０）には、停電監視（ステップＳ２０）が組み込まれている。ステップＳ１０の電源異常監視では、出力電圧監視（ステップＳ１１）が行なわれる。その結果、ステップＳ１２で出力ダウンが検出されなければ、ステップＳ１４において電源装置１Ａは正常動作中であると判定する。「正常動作中」であると判定されると、再び電源監視が繰り返される。
【００６０】
ステップＳ１２で出力ダウンが検出されれば、ステップＳ１３において停電が生じているかどうか（ステップＳ２０）を判定する。停電が生じていれば、出力ダウンが電源異常によるのか停電によるのか判断がつかないため、ステップＳ１４で電源装置１Ａは正常動作中であると判定する。このとき、電源装置１Ａは停電により電源動作からバッテリー動作に移行し、再び電源監視が繰り返される。電源出力がダウンした状態で停電が復旧すれば（ステップＳ１３）、電源異常アラームが発生する。
【００６１】
ステップＳ３０の電源寿命監視では、リップル監視（ステップＳ３１）が行なわれる。図３で説明したように、結合部５７Ｌ，５７Ｍは、リップル電圧に温度補正値および電流補正値を結合し、電源寿命を判定するための判定信号を出力する。ステップＳ３２で判定信号が閾値を超えていなければ、ステップＳ１４において電源装置１Ａは正常動作中であると判定され、再び電源監視が繰り返される。ステップＳ３２において判定信号がしきい値を超えていれば、電源寿命アラームが発生する。ステップＳ４０のバッテリー監視動作については、次図において説明する。
【００６２】
図６は、この発明の実施の形態１による電源装置１Ａのバッテリー監視動作を説明するためのフロー図である。
【００６３】
図６を参照して、ステップＳ４０のバッテリー監視では、バッテリーの状態検出（ステップＳ４１）が行なわれる。バッテリー１５０が満充電の状態であれば、ステップＳ４５に進む。バッテリー１５０が未充電であれば、ステップＳ４２においてバッテリー１５０の充電を監視する。ステップＳ４３でバッテリー１５０に異常が検出されなければ、ステップＳ４４で充電の完了を確認する。ステップＳ４３においてバッテリー１５０に異常が検出されれば、バッテリー異常アラームが発生する。
【００６４】
ステップＳ４４での充電完了後に、ステップＳ４５〜Ｓ４９においてインターバル監視タイマー動作を行なう。ステップＳ４６において、ステップＳ４７により停電が生じているかどうかを判定する。ステップＳ４６で停電が生じていなければ、ステップＳ４８においてバッテリー１５０の劣化をチェックする。その後、ステップＳ４９でバッテリー１５０の異常を検出する。ステップＳ４９においてバッテリー１５０に異常が検出されれば、バッテリー異常アラームが発生する。
【００６５】
ステップＳ４９でバッテリー１５０に異常が検出されなければ、ステップＳ４５に戻ってインターバル監視タイマー動作を繰り返す。ここで、インターバル監視タイマー動作とは、バッテリー１５０の劣化度合いを測定する間隔を決めているものであり、バックアップ時間を決めているものではない。バッテリー１５０のバックアップ時間は、図３のＤＣ出力端子２０１に接続される外部システムの出力容量（電力量）とバッテリー１５０の容量とにより決まる。外部システムの出力容量が大きければ、それだけ容量の大きなバッテリー１５０が必要となる。
【００６６】
ステップＳ４６で停電が生じていれば、ステップＳ５０においてバッテリー１５０の放電を監視する。その後、ステップＳ５１でバッテリー１５０の異常を検出する。バッテリー１５０に異常が検出されなければ、ステップＳ５２においてバッテリー１５０によるバックアップ動作を行なう。ステップＳ５３において停電が解消していれば、ステップＳ４２に戻ってバッテリー１５０の充電を監視する。ステップＳ５３において停電が解消していなければ、ステップＳ５０に戻ってバッテリー１５０の放電を監視する。一方、ステップＳ５１においてバッテリー１５０に異常が検出されれば、ステップＳ５４において電源装置１Ａを停止させる。
【００６７】
以上のように、実施の形態１の電源装置１Ａは、バッテリーを使用したシステムにおいて、電源異常／寿命および停電状態を監視して電源異常アラームやバッテリー異常アラームなどを出力する。これにより、突発的な電源故障があっても、バックアップ動作中に対応策の準備ができる。その結果、システムのダウンを防いだり、システムがダウンしても復旧させるまでの時間を短縮させることが可能となる。
【００６８】
従来の電源システムでは、ＵＰＳの不具合やシステム内の電源異常に対応するため、定期的にバックアップ動作の確認などのメンテナンスが必要になる。これに対し、実施の形態１の電源装置１Ａでは、電源回路やバックアップ回路の故障状況に関してもアラーム信号を出力することにより、メンテナンスフリーのシステムを実現できる。
【００６９】
具体的には、ＵＰＳ装置を前置するのではなく電源装置１Ａ内にバックアップ機能を入れ込むことにより、突発的な電源異常の検出が可能となる。また、そのときにアラーム信号を出力することで、メンテナンスフリー化を実現できる。さらに、電源回路内にＵＰＳ部分を組み入れることにより、従来のＵＰＳを備えたシステムに比べてシステム全体の消費電力を低減させることが可能となる。
【００７０】
実施の形態１の電源装置１Ａは、バッテリーをシステム電源内の２次側に配置することで、バックアップを行なう構成としている。これにより、交流電源から電力が供給されている状態で電源出力がダウンしているかどうかの検出が可能となり、突発的な電源異常を検出することができる。その結果、バックアップ機能によりシステムをダウンさせることなく、センター等への通報も可能となる。
【００７１】
また、メンテナンス時間を考慮してバックアップ時間を決めることにより、電源二重化またはシステム二重化を行なう必要がなくなる。その結果、電源システムの体積面および実現費用面で効果が得られる。電源装置１Ａは、電源異常アラームが出力される際、システムはバッテリーによるバックアップ動作に入っている。そのため、異常電源の交換作業は緊急性を要するものの、システム全体のダウンを防ぐことができる。
【００７２】
［実施の形態２］
図７は、この発明の実施の形態２による電源装置１Ｂの具体的な構成を示した回路ブロック図である。
【００７３】
図７を参照して、実施の形態２の電源装置１Ｂは、ＡＣ／ＤＣ変換装置１００Ｂと、ＤＣ／ＤＣ変換部２００と、外部システムに接続されたＤＣ出力端子２０１と、システム異常検出部９９とを備える。ＡＣ／ＤＣ変換装置１００Ｂは、交流電源１０と、入力フィルター部１５と、ブリッジダイオード１７と、電解コンデンサ１８，４３，４７，４９と、停電検出部２０と、１次−２次信号伝達部２５，５９ａ〜５９ｃと、鉄芯３１と、１次巻線３２，３３と、２次巻線３４と、半導体スイッチング素子４１と、制御ＩＣ（Integrated Circuit）４２と、ダイオード４４，４６と、出力平滑用インダクタ４８と、電源寿命検出部５０ＬＢ，５０ＭＢと、電源異常検出部６０Ｍ，６０Ｎと、充電／放電切替部７０と、抵抗７１と、温度センサ７２と、デジタル処理部９３と、バッテリー１５０とを含む。
【００７４】
電源寿命検出部５０ＬＢは、温度センサ５１Ｌと、抵抗５２Ｌとを含む。電源寿命検出部５０ＭＢも同様に、温度センサ５１Ｍと、抵抗５２Ｍとを含む。デジタル処理部９３は、閾値変更入力９２と、演算処理部９５と、Ａ／Ｄ（Analog/Digita1）コンバータ９７ａ〜９７ｋ，９７ｓと、Ｄ／Ａ（Digita1/Analog）コンバータ９８とを含む。演算処理部９５は、ＣＰＵ（Central Processing Unit）、ＤＳＰ（Digital Signal Processor）を含む。
【００７５】
１次巻線３２，３３側は、制御ＩＣ４２に電源電圧Ｖｃｃを供給するため、Ｖｃｃラインとも称する。２次巻線３４側は、他のシステムに電力を供給するため、電力供給ラインとも称する。ＤＣ／ＤＣ変換部２００のＤＣ出力端子２０１には、外部システムが接続される。システム異常検出部９９は、外部システムの異常を検出する。
【００７６】
交流電源１０は、入力フィルター部１５を介してブリッジダイオード１７に接続されている。交流電源１０は、商用電源であってもよい。ブリッジダイオード１７は、交流電圧を直流電圧に変換する。交流電源１０が直流電源であれば、交流電源１０、入力フィルター部１５、およびブリッジダイオード１７はなくてもよい。電解コンデンサ１８は、ブリッジダイオード１７の出力を平滑化する。ブリッジダイオード１７と電解コンデンサ１８との間に、力率を改善するための昇圧チョッパ回路が挿入されてもよい。
【００７７】
停電検出部２０は、ブリッジダイオード１７の入力フィルター部１５側または電解コンデンサ１８側で停電を検出する。停電検出部２０での検出結果は、１次−２次信号伝達部２５およびＡ／Ｄコンバータ９７ｄを通って演算処理部９５に入力される。１次−２次信号伝達部２５は、停電検出部２０での検出結果を、１次巻線３２，３３側とは絶縁された２次巻線３４側に伝達する。Ａ／Ｄコンバータ９７ｄは、停電検出部２０での検出結果をアナログ信号からデジタル信号に変換する。
【００７８】
半導体スイッチング素子４１は、直流電圧をスイッチングする。半導体スイッチング素子４１は、トランジスタやＦＥＴにより構成される。制御ＩＣ４２は、半導体スイッチング素子４１によるＰＷＭ等のスイッチング動作を制御することで、電力供給ラインに安定した電圧（電力）を供給する。制御ＩＣ４２は、出力電圧情報や負荷電流情報からスイッチングのデューティ比を決定する。
【００７９】
ダイオード４４は、電源電圧Ｖｃｃのラインに制御ＩＣ４２の方向に接続されている。抵抗５２Ｌは、ダイオード４４に直列に接続されている。また、電源電圧Ｖｃｃのラインに並列に、電解コンデンサ４３が接続されている。温度センサ５１Ｌは、電解コンデンサ４３の周囲温度を検出する。温度センサ５１Ｌで検出された温度情報は、１次−２次信号伝達部５９ｃおよびＡ／Ｄコンバータ９７ｃを通って演算処理部９５に入力される。電解コンデンサ４３でモニターされたリップル電圧は、１次−２次信号伝達部５９ｂおよびＡ／Ｄコンバータ９７ｂを通って演算処理部９５に入力される。抵抗５２Ｌを流れる電流については、１次−２次信号伝達部５９ａおよびＡ／Ｄコンバータ９７ａを通って演算処理部９５に入力される。
【００８０】
２次巻線３４には、抵抗５２Ｍが接続されている。ダイオード４６は、電力供給ラインに抵抗５２Ｍとは逆の方向に接続されている。出力平滑用インダクタ４８は、ダイオード４６に直列に接続されている。また、電力供給ラインに並列に、電解コンデンサ４７，４９が接続されている。温度センサ５１Ｍは、電解コンデンサ４７，４９の少なくとも一方の周囲温度を検出する。温度センサ５１Ｍで検出された温度情報は、Ａ／Ｄコンバータ９７ｈでデジタル信号に変換され演算処理部９５に入力される。電解コンデンサ４７，４９の少なくとも一方でモニターされたリップル電圧は、Ａ／Ｄコンバータ９７ｇでデジタル信号に変換され演算処理部９５に入力される。抵抗５２Ｍを流れる電流については、Ａ／Ｄコンバータ９７ｆでデジタル信号に変換され演算処理部９５に入力される。
【００８１】
電源異常検出部６０Ｍは、２次巻線３４側のトランス部分からの出力を監視することで電源異常を検出する。検出された電源異常情報は、Ａ／Ｄコンバータ９７ｅでデジタル信号に変換され演算処理部９５に入力される。充電／放電切替部７０は、バッテリー１５０の充電／放電を切り替える。抵抗７１は、バッテリー１５０の充放電時の電流および電圧を検出する。抵抗７１で検出された充放電電流／電圧は、Ａ／Ｄコンバータ９７ｉでデジタル信号に変換され演算処理部９５に入力される。温度センサ７２は、バッテリー１５０の周囲温度を検出する。温度センサ７２で検出された温度情報は、Ａ／Ｄコンバータ９７ｊでデジタル信号に変換され演算処理部９５に入力される。
【００８２】
ＤＣ／ＤＣ変換部２００は、２次巻線３４側のトランス部分から出力される直流電圧をさらにＤＣ／ＤＣ変換する。ＤＣ／ＤＣ変換部２００は、ＤＣ出力端子２０１を通じて外部システムに接続される。システム異常検出部９９は、外部システムの異常を検出する。システム異常検出部９９で検出されたシステム異常情報は、Ａ／Ｄコンバータ９７ｓでデジタル信号に変換され演算処理部９５に入力される。電源異常検出部６０Ｎは、ＤＣ／ＤＣ変換部２００からの出力を監視することで電源異常を検出する。電源異常検出部６０Ｎで検出された温度情報は、Ａ／Ｄコンバータ９７ｋでデジタル信号に変換され演算処理部９５に入力される。
【００８３】
演算処理部９５は、電源寿命検出部５０ＬＢ，５０ＭＢ、電源異常検出部６０Ｍ，６０Ｎ、停電検出部２０、充電／放電切替部７０、およびシステム異常検出部９９からの出力を受けて、各種アラーム信号を生成する。閾値変更入力９２は、演算処理部９５で生成される各種アラーム信号の生成に用いられる閾値を変更する。演算処理部９５は、補正テーブルまたは各補正係数をプログラムによって組み込むことにより、Ａ／Ｄコンバータ９７ａ〜９７ｋ，９７ｓからの出力を基に各種アラーム信号を生成する。
【００８４】
演算処理部９５で生成された各種アラーム信号は、Ｄ／Ａコンバータ９８でアナログ信号に変換されて出力される。具体的には、電源寿命アラームＬ＿ＡＬＭ、電源異常アラームＤ＿ＡＬＭ、停電アラームＨ＿ＡＬＭ、バッテリー異常アラームＢ＿ＡＬＭ、充電回路アラームＣ＿ＡＬＭ、およびシステム異常アラームＳ＿ＡＬＭが出力される。このように各種アラーム信号の生成をソフトウェアで処理することで、閾値を任意に書き換えたり変更したりすることが容易になる。
【００８５】
以上のように、実施の形態２の電源装置１Ｂは、実施の形態１の場合と同様に、バッテリーを使用したシステムにおいて、電源異常／寿命および停電状態を監視して各種アラームなどを出力する。これにより、突発的な電源異常があっても、バックアップ動作中に対応策の準備ができる。その結果、システムのダウンを防いだり、システムがダウンしても復旧させるまでの時間を短縮させることが可能となる。また、バックアップ機能によりシステムをダウンさせることなく、センター等への通報も可能となる。
【００８６】
また、メンテナンス時間を考慮してバックアップ時間を決めることにより、電源二重化またはシステム二重化を行なう必要がなくなる。その結果、電源システムの体積面および実現費用面で効果が得られる。電源装置１Ａは、電源異常アラームが出力される際、システムはバッテリーによるバックアップ動作に入っている。そのため、故障電源の交換作業は緊急性を要するものの、システム全体のダウンを防ぐことができる。
【００８７】
上記に加え、実施の形態２では、電源寿命検出部５０ＬＢ，５０ＭＢ等での検出信号の処理をデジタルで行なえるように、検出信号をＡ／Ｄコンバータ９７ａ〜９７ｋ，９７ｓを通じて演算処理部９５に入力させる。演算処理部９５は、検出信号を基にＣＰＵやＤＳＰで各種アラーム信号を生成する。
【００８８】
実施の形態１の電源装置１Ａは、電源寿命検出部５０ＬＡ，５０ＭＡのようにアナログのハードウェア構成を有する。そのため、回路変更等の際には、常にハードウェア的な変更処理が必要となる。これに対し、実施の形態２の電源装置１Ｂは、デジタル処理部９３のようにデジタルのハードウェア構成を有する。そのため、複雑に関係し合う各種アラームの判定を行なう際に、ソフトウェアの変更により容易に閾値やアラーム信号間の関係を変更できるという利点がある。
【００８９】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００９０】
１，１Ａ，１Ｂ，１Ｐ  電源装置、１０  交流電源、１５  入力フィルター部、１７  ブリッジダイオード、１８，４３，４７，４９  電解コンデンサ、２０  停電検出部、２５，５９，５９ａ〜５９ｃ  １次−２次信号伝達部、３０  絶縁型ＤＣ／ＤＣ変換部、３１  鉄芯、３２，３３  １次巻線、３４  ２次巻線、４１  半導体スイッチング素子、４２  制御ＩＣ、４４，４６  ダイオード、４８  出力平滑用インダクタ、５０，５０ＬＡ，５０ＭＡ，５０ＬＢ，５０ＭＢ  電源寿命検出部、５１Ｌ，５１Ｍ  温度センサ、５２Ｌ，５２Ｍ，７１  抵抗、５３Ｌ，５３Ｍ  温度補正部、５４Ｌ，５４Ｍ  リップルモニター部、５５Ｌ，５５Ｍ  電流補正部、５６Ｌ，５６Ｍ  寿命検出回路部、５７Ｌ，５７Ｍ  結合部、５８Ｌ，５８Ｍ  寿命判定回路、６０，６０Ｍ，６０Ｎ  電源異常検出部、７０  充電／放電切替部、７２  温度センサ、８０  バッテリー管理／監視部、９０  アラーム信号生成部、９２  閾値変更入力、９３  デジタル処理部、９５  演算処理部、９７ａ〜９７ｋ，９７ｓ  Ａ／Ｄコンバータ、９８  Ｄ／Ａコンバータ、９９  システム異常検出部、１００，１００Ａ，１００Ｂ  ＡＣ／ＤＣ変換装置、１３０，１３０Ｐ，１１００  ＡＣ／ＤＣ変換部、１５０  バッテリー、２００  ＤＣ／ＤＣ変換部、２０１  ＤＣ出力端子、５００  システム、１０００  ＵＰＳ装置、１２００  ＤＣ／ＡＣ変換部。
【図１】
2010279206.tif 000003
【図２】
2010279206.tif 000004
【図３】
2010279206.tif 000005
【図４】
2010279206.tif 000006
【図５】
2010279206.tif 000007
【図６】
2010279206.tif 000008
【図７】
2010279206.tif 000009
【図８】
2010279206.tif 000010